(57)【特許請求の範囲】
【請求項１】
周囲６面のうち少なくとも前後面、底面、及び上面が閉塞された矩形のユニットを１つ或いは左右方向に複数連結して成り、蓄電池或いは変圧器を含む電気機器を収納するための機器収納空間を形成し、前記機器収納空間の天井に換気装置を備えた電気機器収納箱であって、
当該電気機器収納箱の左右側面に対応する前記ユニットの側面には壁面が設けられて、前記機器収納空間が閉塞形成され、
前記機器収納空間の上面を閉塞する天板は前記ユニット毎に補強枠を介して設置され、
前記補強枠は、前記ユニットの形状に合致した四角形の枠体と前記枠体の中央において前後方向に配置された桟部とを有して前記機器収納空間の上端に配置されて成り、
前記補強枠の各辺は、前記天板を装着するための平坦な上面部と周囲に垂下した側面部とを有して断面Ｌ字状に形成され、
前記天板は、前記桟部で分離された前記補強枠の開口部を閉塞する一対の閉塞板から成ると共に、一方の前記閉塞板には前記換気装置取り付けのための排気穴が形成されて成ることを特徴とする電気機器収納箱。
【請求項２】
前記補強枠の天板を取り付ける部位は、内側に迫り出して幅広に形成されてなることを特徴とする請求項１記載の電気機器収納箱。
【請求項３】
前記閉塞板のユニット端部に対応する角部は、屋根板に取り付けられるアイボルトを操作するための切り欠きが形成されて成ることを特徴とする請求項１又は２記載の電気機器収納箱。
【請求項４】
前記閉塞板の前後端部は、横長で断面Ｌ字状の補強金具が固着されており、
前記補強金具の垂下辺には配線支持のための複数の開口部が穿設されて成ることを特徴とする請求項１乃至３の何れかに記載の電気機器収納箱。
【発明の詳細な説明】
【技術分野】
【０００１】
本発明は、太陽光発電等の自家発電電力の貯蔵や災害時の停電時の非常用電源とし使用される蓄電池や高圧受電設備を収納するキュービクルとして使用される電気機器収納箱に関する。
【背景技術】
【０００２】
太陽光発電等の自家発電電力の貯蔵や災害時の停電や夏場の電力不足時の非常用電源として蓄電池の設置が進んでいる。このような目的で使用される蓄電池は比較的容量が大きいため、専用の収納箱を屋外に設置して収納された。その際使用される箱は、蓄電池と同様に重量物である変圧器等を収納するキュービクルとして設計された大型の箱が使用されていた。
このキュービクルとして設計された箱は雨水の浸入を防止でき堅牢であるし、キュービクルに収納される変圧器等は発熱するため、換気扇等の換気装置が取り付けられたものが多く、使用時は発熱を伴う蓄電池を収納するには好ましいものであった（例えば、特許文献１参照）。
【先行技術文献】
【特許文献】
【０００３】
【特許文献１】特開２００９−７１９０６号公報
【発明の概要】
【発明が解決しようとする課題】
【０００４】
しかしながら、従来の換気装置を備えた電気機器収納箱は、特許文献１に記載されているように、箱の上部は天板がなく上部は屋根板が直接取り付けられているだけであり、夏場は太陽光で屋根板が熱せられ、その熱が内部の電気機器に伝わりやすく好ましい構造ではなかった。また、天板がないため上部で配線を支持する必要がある場合は、別途専用の支持部材が必要であった。
そのため、屋根板の下に天板を設けて換気装置を天板に取り付けることで屋根裏に排気する構成が考えられるが、天板を設けるとなると箱構造が複雑になりコスト高となった。特に、大型のキュービクルは、小型のキュービクルとして設計されたユニット（電気機器収納箱）を複数連結して形成されるため、中間に配置されるユニットは左右の側板がないことで、対角出しが難しくなり天板の設置が難しかった。
【０００５】
そこで、本発明はこのような問題点に鑑み、天板を設置するユニット上部を堅牢に且つ天板を取り付け易い構造とし、天板を介して排気できる構造であっても製造し易い電気機器収納箱を提供することを目的としている。
【課題を解決するための手段】
【０００６】
上記課題を解決する為に、請求項１の発明は、周囲６面のうち少なくとも前後面、底面、及び上面が閉塞された矩形のユニットを１つ或いは左右方向に複数連結して成り、蓄電池或いは変圧器を含む電気機器を収納するための機器収納空間を形成し、機器収納空間の天井に換気装置を備えた電気機器収納箱であって、当該電気機器収納箱の左右側面に対応するユニットの側面には壁面が設けられて、機器収納空間が閉塞形成され、機器収納空間の上面を閉塞する天板はユニット毎に補強枠を介して設置され、補強枠は、ユニットの形状に合致した四角形の枠体と枠体の中央において前後方向に配置された桟部とを有して機器収納空間の上端に配置されて成り、補強枠の各辺は、天板を装着するための平坦な上面部と周囲に垂下した側面部とを有して断面Ｌ字状に形成され、天板は、桟部で分離された補強枠の開口部を閉塞する一対の閉塞板から成ると共に、一方の閉塞板には換気装置取り付けのための排気穴が形成されて成ることを特徴とする。
この構成によれば、ユニット単位で上部に補強枠が設けられ、この補強枠を介して天板が設置されることで、ユニットは側方が開放されていても上部を堅牢にでき歪み難い。よって、電気機器収納箱が複数のユニットを連結した構造であっても、天板を取り付け易く、天板を介した排気構造を作製し易い。更に、補強枠は天板を取り付けるための平坦な上面を有するため、天板を載置した状態で作業できる。
また、天板は一対の閉塞板で構成されるため、軽量化でき扱い易い。
【０００７】
請求項２の発明は、請求項１に記載の構成において、補強枠の天板を取り付ける部位は、内側に迫り出して幅広に形成されてなることを特徴とする。
この構成によれば、補強枠の天板を取り付ける上面が幅広に形成されているため、天板の取り付けが容易であるし、補強枠の強度が増してユニット上部を更に堅牢にできる。また、枠体は部分的に幅広に形成されるため、重量増は最小限に留めることができる。
【０００８】
請求項３の発明は、請求項１又は２に記載の構成において、閉塞板のユニット端部に対応する角部は、屋根板に取り付けられるアイボルトを操作するための切り欠きが形成されて成ることを特徴とする。
この構成によれば、天板によりユニット上部を閉塞してもアイボルトを操作でき、アイボルトの取り付け操作が難しくなるようなことがない。
【０００９】
請求項４の発明は、請求項１乃至３の何れかに記載の構成において、閉塞板の前後端部は、横長で断面Ｌ字状の補強金具が固着されており、補強金具の垂下辺には配線支持のための複数の開口部が穿設されて成ることを特徴とする。
この構成によれば、補強金具により閉塞板を堅牢にできるし、補強金具の垂下辺で配線支持ができるため、別途支持部材が必要なくなる。
【発明の効果】
【００１１】
本発明によれば、機器収納空間を形成したユニットの上端には四角形の補強枠が取り付けられるため、ユニットは側方が開放されていても上部を堅牢にできる。そして、補強枠は天板設置のための平坦な上面を有し、天板を容易に取り付けできる。また、ユニットに取り付ける天板は一対の閉塞板で構成されるため、軽量化でき扱い易い。
【図面の簡単な説明】
【００１２】
【図１】本発明に係る電気機器収納箱の一例を示す説明図であり、（ａ）は正面図、（ｂ）は右側から見た断面説明図である。
【図２】Ａ部の説明図であり、（ａ）は横断面図、（ｂ）が下方から見た図である。
【図３】Ｂ部拡大図である。
【図４】補強枠を示し、（ａ）は平面説明図、（ｂ）は正面説明図である。
【図５】補強枠の部分拡大図であり、（ａ）はＣ部拡大図、（ｂ）はＤ部拡大図である。
【図６】補強枠に取り付けた天板を下方から見た図である。
【図７】Ｅ部拡大図である。
【図８】分割板を示し、（ａ）は下方から見た図、（ｂ）は側面図である。
【図９】分割板の正面図である。
【発明を実施するための形態】
【００１３】
以下、本発明を具体化した実施の形態を、図面を参照して詳細に説明する。図１は本発明に係る電気機器収納箱の一例を示す説明図であり、図１（ａ）は正面、図１（ｂ）は右側面図である。但し、内部の電気機器を収納する機器収納空間の状態を説明するために、図１（ａ）では前面を閉塞する扉を省略し、図１（ｂ）では右側から見た縦断面を示している。
【００１４】
電気機器収納箱１は、前面が壁面としての扉１０で閉塞され、側面及び背面が壁面としての左右側板１１、背板１２、で閉塞され、更に底板１３、天板１４を有して閉塞され、内部の機器収納空間が周囲が閉塞されるよう構成されている。また、天板１４の上には屋根板１５が設けられ、これらは底枠１６上に組み付けられ、屋外に設置可能に構成されている。尚、天板１４と屋根板１５の間には天井に取り付けられた換気装置である換気扇２による排気を外部に排出させるための空間が設けられている。また１０ａは扉１０に設けられたハンドルである。
【００１５】
また、この図１に示す電気機器収納箱１は、基本単位（ユニット）の構成であり、大型の電気機器収納箱は、このユニットが左右方向に連結されて形成される。例えば、図１の電気機器収納箱の幅Ｗは約１．６メートル、奥行きＤは約１．７メートル、高さＨは約２．４メートルであり、この寸法が１ユニットの寸法となる。
【００１６】
屋根板１５は、背部に掛けて下り傾斜した平坦な天面を有している。また４隅及び前後の中央部には、つり上げる際に使用されるアイボルト１７が設けられている。
【００１７】
図２はＡ部を拡大した説明図であり、図２（ａ）は横断面図、図２（ｂ）は下方から見た図である。図２に示すように、屋根板１５は前後に大きな庇部１５ａを有し、前後方向に大きく迫り出して形成されている。この迫り出した庇部１５ａの下面に換気扇２により排出された空気を放出するためのスリット１５ｂが形成されている。
【００１８】
また、図３はＢ部を拡大した図であり、機器収納空間の上部を示している。図３において、３は収納空間上部に配置されてユニットの上部の変形を防止するための補強枠であり、図３に示すように補強枠３に天板１４が取り付けられ、更に屋根板１５が取り付けられる。
【００１９】
図４，５はこの補強枠３を示し、図４（ａ）は補強枠３の平面説明図、図４（ｂ）は正面説明図、図５（ａ）はＣ部拡大図、図５（ｂ）はＤ部拡大図を示している。補強枠３はユニットの幅及び奥行きに合わせて形成された四角形の枠体である。
補強枠３の各辺は図５に示すように断面Ｌ字状に形成され、平坦な上面部３ａと垂下した側面部３ｂとを有し、中央には棒状の桟部３１が前後方向に設けられ、天板１４を左右に２分割して設置可能としている。この桟部３１も断面Ｌ字状の部材を２本使用して形成され、平坦な上面部３ａと側面部３ｂとを有している。
【００２０】
また、補強枠３の左右に配置された側枠３２の平坦な上面部３ａは、内側に拡幅された拡幅部３２ａを有し、天板１４の装着を更に容易にしている。更に桟部３１においても、平坦な上面部３ａは左右に拡幅された拡幅部３１ａを有し、天板１４の装着を容易している。このように、補強枠３は天板１４を取り付けるための平坦な上面部３ａを有するため、天板１４を載置した状態で作業でき、容易に取り付けできる。特に、補強枠３の左右の上面部３ａ、及び桟部３１の上面部３ａが幅広に形成されているため、天板１４の取り付けが容易であるし、補強枠３の強度が増してユニット上部を更に堅牢にできる。また、枠体は部分的に幅広に形成されるため、重量増は最小限に留めることができる。一方、天板１４は分割できるため、軽量化でき扱い易くなる。
【００２１】
図６は補強枠３に天板１４を取り付けた状態を示し、下方から見た図を示している。図６に示すように、左右に分割された開口部を有する補強枠３に対して後述する分割板２０を４枚使用して閉塞するよう形成されている。即ち、天板１４は４枚の分割板２０で構成されている。また、４枚の分割板２０のうち、任意の１枚に換気扇２のための排気穴（図８に示す）２０ａが設けられ、換気扇取付部が形成されている。
尚、分割板２０を２枚連結して補強枠３の１つの開口部を閉塞する閉塞板２１が形成され、この閉塞板２１を２枚使用して補強枠３全体を閉塞する天板１４を構成している。
【００２２】
図８，９は分割板２０を示し、図８（ａ）は下方から見た図、図８（ｂ）は側面図、図９は正面図である。図８では、換気扇２が取り付けられる分割板２０を示し、排気穴２０ａが形成されている。他の分割板２０は、この排気穴２０ａ及び換気扇取り付けのためのねじ穴等が無いだけで、全体の形状は同一である。
分割板２０は、図８（ｂ）に示すように、閉塞板２１を形成するために分割板同士を連結する端部が、折り曲げて起立形成された当接面２０ｂを備えており、当接面同士を付き合わせてボルト止めして連結される。また、反対側の辺の下面には、分割板２０を補強する補強金具２０ｃが溶接されている。
補強金具２０ｃはＬ字状に折り曲げ形成された板体であり、図９に示すように垂下された辺２０ｄには複数の孔２２が穿設され、収納した電気機器の配線を固定する部位として形成されている。尚、当接面２０ｂに穿設された孔２３は、ボルト挿通孔である。
【００２３】
また、分割板２０の補強金具２０ｃを取り付けた辺の左右端部は、補強枠３に取り付け後でも特定部位が開口されるよう切り欠き部１４ａが設けられている。即ち、天板１４を設置しても、機器収納空間の天井４隅は開口されるよう形成されている。
図７はＥ部拡大図であり、この切り欠き部１４ａの形成部を示している。図７において、１７ａはアイボルト１７の基部である固定部を示し、図７に示すように切り欠き部１４ａにより形成された開口部からアイボルト１７の取り付け操作を可能としている。アイボルト１７取り付け後は蓋板２４で切り欠き部１４ａは閉塞される。
【００２４】
分割板２０は、図６に示すように補強枠３に載置してボルト止めした後、前後に配置した分割板２０を連結して閉塞板２１を形成しても良いし、分割板２０同士を連結して閉塞板２１を形成した後に補強枠３に取り付けても良い。
【００２５】
このように、ユニット単位で上部に補強枠３が設けられ、この補強枠３を介して天板１４が設置されることで、ユニットは側方が開放されていても上部を堅牢にでき歪み難い。よって、電気機器収納箱１が複数のユニットを連結した構造であっても、天板１４を取り付け易く、天板を介した排気構造を作製し易い。また、天板１４は一対の閉塞板２１で構成されるため、軽量化でき扱い易い。
また、天板１４によりユニット上部を閉塞してもアイボルト１７を操作でき、アイボルト１７の取り付け操作が難しくなるようなことがない。
更に、補強金具２０ｃにより閉塞板２１を堅牢にできるし、補強金具２０ｃの垂下辺２０ｄで配線支持ができるため、別途配線支持部材が必要なくなる。
また、閉塞板２１は更に２分割されることで天板１４は４分割され、小型軽量化でき扱い安いし、分割板２０同士は起立形成された当接面２０ｂ同士を付き合わせて連結するため、閉塞板２１の中央部の強度を上げることができ、別途補強部材が必要ない。
【００２６】
尚、上記実施形態では、１つのユニットに補強枠３を組み付けた電気機器収納箱１を説明したが、収納する電気機器が大きい場合、或いは収納する機器が多く１つのユニットに収納できない場合は、このユニットを１単位として左右に複数連結して機器収納空間が拡張される。その場合は、補強枠３もユニット毎に取り付けられる。そして、中間に配置されるユニットは、左右の側板が無くなるため、上部が歪み易くなるが補強枠３を配置することで歪みを防止でき対角出しをスムーズに実施できる。
また、補強枠３により電気機器収納箱１の強度アップを必要とするユニットの大きさは、上記寸法において有効に作用するが、幅及び奥行きが１メートル以上の大きさのユニットであれば補強枠３の存在は効果を奏する。
更に、２枚の分割板２０を連結して閉塞板２１を形成しているが、電気機器収納箱１の大きさ（ユニットの大きさ）によっては、閉塞板２１を分割形成せずに１枚の板体としても良い。
【符号の説明】
【００２７】
１・・電気機器収納箱、２・・換気扇（換気装置）、３・・補強枠、３ａ・・上面部、３ｂ・・側面部、１１・・側板、１２・・背板、１３・・底板、１４・・天板、１４ａ・・切り欠き部、１５・・屋根板、１７・・アイボルト、２０・・分割板、２０ａ・・排気穴、２０ｂ・・当接面、２０ｃ・・補強金具、２０ｄ・・垂下辺、２１・・閉塞板、２４・・蓋板、３１・・桟部、３１ａ・・拡幅部、３２ａ・・拡幅部。
【図１】
0006722441.tif 000002
【図２】
0006722441.tif 000003
【図３】
0006722441.tif 000004
【図４】
0006722441.tif 000005
【図５】
0006722441.tif 000006
【図６】
0006722441.tif 000007
【図７】
0006722441.tif 000008
【図８】
0006722441.tif 000009
【図９】
0006722441.tif 000010